(57)【要約】      （修正有）【課題】エレベータのロープ交換の際に、ロープをシーブの溝から外さずに通しやすくする、エレベータのロープ交換補助装置を提供する。【解決手段】エレベータのロープ交換補助装置１００は、シーブ１に施された溝部５の幅方向に設置するためのレール部２と、ロープを通す孔部７を有し、シーブの溝部５に嵌合して孔部７からロープをシーブの溝部５に巻き掛ける巻掛機構を有するガイド部３と、一の端部はレール部２を摺動してシーブの溝部５に対応する位置にてレール部２と支持され、他端部はガイド部３とを支持されるブラケット部４とを具備する。【選択図】図２
2019052043.tif 000002
【特許請求の範囲】
【請求項１】
シーブに施された溝部の幅方向に設置するためのレール部と、
ロープを通す孔部を有し、前記シーブの溝部に嵌合して前記孔部の前記ロープを前記シーブの溝部に巻き掛けるために、上側部の機構と下側部の機構とが分離して構成される巻掛機構を有するガイド部と、
一の端部は前記レール部を摺動して前記シーブの溝部に対応する位置にて前記レール部と支持され、他端部は前記ガイド部とを支持されるブラケット部と、
を具備するエレベータのロープ交換補助装置。
【請求項２】
前記ガイド部は、前記孔部の上部側に構成される上部ガイド端部と、前記孔部の下端側に構成される下部ガイド端部と、を着脱可能に有し、
前記巻掛機構は、前記上部ガイド端部と前記下部ガイド端部とを前記シーブの溝部の周方向に沿って分離して、前記孔部に挿通された前記ロープを前記シーブの溝部に巻き掛ける、
請求項１に記載のエレベータのロープ交換補助装置。
【請求項３】
前記上部ガイド端部と前記下部ガイド端部とはそれぞれ繋止部を有しており、線状体をそれぞれの前記繋止部に繋げることで、前記上部ガイド端部が前記下部ガイド端部を繋止している、
請求項２に記載のエレベータのロープ交換補助装置。
【請求項４】
前記ガイド部は、前記孔部の上部側に構成されるスライド案内部と、前記孔部の下部側に構成されるスライド部と、を有し、
前記巻掛機構は、前記スライド部に設けられた取手を前記ガイド部の円周方向に回動させて、前記スライド部を前記スライド案内部の内周面に摺動させて、前記孔部に開口部を形成させ、前記開口部より前記ロープを前記シーブの溝部に巻き掛ける、
請求項１に記載のエレベータのロープ交換補助装置。
【請求項５】
前記ガイド部は、前記孔部の内周面にロープの挿通を補助する挿通補助機構を有している、
請求項１乃至請求項４のいずれか１項に記載のエレベータのロープ交換補助装置。
【請求項６】
前記挿通補助機構は、前記孔部の内周面の下部側にガイドローラを設けた、
請求項５に記載のエレベータのロープ交換補助装置。
【請求項７】
前記挿通補助機構は、前記孔部の内周面の下部側にベアリングボールを設けた、
請求項５に記載のエレベータのロープ交換補助装置。
【請求項８】
前記挿通補助機構は、前記孔部の内周面の下部側に樹脂被覆のロープよりも摩擦係数の低い低摩擦部材を設けた、
請求項５に記載のエレベータのロープ交換補助装置。
【請求項９】
前記ガイド部は、前記レール部に複数支持されており、前記シーブの溝部の本数よりも前記ガイド部の個数が多い場合は、余剰のガイド部をレール部の端部へと摺動することが可能である、
請求項１乃至請求項８のいずれか１項に記載のエレベータのロープ交換補助装置。
【発明の詳細な説明】
【技術分野】
【０００１】
本発明の実施形態は、エレベータのロープ交換補助装置に関する。
【背景技術】
【０００２】
エレベータのロープの交換において、従来は、古い鋼線のロープの先端に新しい鋼線のロープの先端を接続させ、古い鋼線のロープを引っ張ることで、新しい鋼線のロープをシーブに巻き掛けていた。
【０００３】
しかし、ロープの交換の際に、ロープがシーブの溝を通るように引っ張るため、鋼線のロープとシーブとの間に初期摩耗が発生するという問題がある。
【０００４】
また、エレベータのロープの部材として、ロープの綱芯を樹脂で被覆をしたロープが提案されている。樹脂被覆をしたロープは潤滑グリスによる給油の必要がないため、環境負荷の低減に優れており、更にシーブを痛めにくいという利点がある。
【０００５】
しかし、古い鋼線のロープから新しい樹脂被覆のロープに交換する際、樹脂被覆のロープは鋼線のロープよりも表面の摩擦係数が高いため、シーブの溝に滑らかに通らず、ロープの交換に手間がかかる、という問題がある。
【先行技術文献】
【特許文献】
【０００６】
【特許文献１】特開２００１−２８７８７７号
【特許文献２】特開２０１１−１４８６０９号
【発明の概要】
【発明が解決しようとする課題】
【０００７】
本発明が解決しようとする課題は、エレベータのロープ交換の際に、ロープをシーブの溝から外さずに通しやすくする、エレベータのロープ交換補助装置を提供することである。
【課題を解決するための手段】
【０００８】
上記課題を解決するため、実施形態のエレベータのロープ交換補助装置は、シーブに施された溝部の幅方向に設置するためのレール部と、ロープを通す孔部を有し、前記シーブの溝部に嵌合して前記孔部から前記ロープを前記シーブの溝部に巻き掛ける巻掛機構を有するガイド部と、一の端部は前記レール部を摺動して前記シーブの溝部に対応する位置にて前記レール部と支持され、他端部は前記ガイド部とを支持されるブラケット部と、を具備する。
【図面の簡単な説明】
【０００９】
【図１】実施形態に係るエレベータの例示図。
【図２】実施形態であるエレベータのロープ交換補助装置の斜視図。
【図３】第１の実施形態であるエレベータのロープ交換補助装置の正面図。
【図４】第１の実施形態であるエレベータのロープ交換補助装置の変形例の正面図。
【図５】第２の実施形態であるエレベータのロープ交換補助装置の正面図。
【図６】第３の実施形態であるエレベータのロープ交換補助装置の正面図。
【発明を実施するための形態】
【００１０】
以下、エレベータのロープ交換補助装置の実施形態を図面に基づき説明する。
【００１１】
（第１の実施形態）
図１は実施形態に係るエレベータの例示図である。エレベータは、昇降路８０内に乗りかご８１とカウンタウエイト（釣合錘）８２とが設けられている。昇降路８０の上部等にはエレベータ全体の制御を行う制御盤８４が備えられており、さらに巻上機８３が設けられている。巻上機８３には、一端が乗りかご８１と接続され、他端がカウンタウエイト８２と接続されたロープ９０が巻上機８３のシーブ１（１ａ）に巻き掛けられている。
【００１２】
乗りかご８１とロープ９０とは直接接続されていてもよく、また、図１のように乗りかご８１に設けられたシーブ１（１ｂ）に巻き掛け、ロープ９０の先端を昇降路８０内に固定していても良い。カウンタウエイト８２とロープ９０とは直接接続されていてもよく、また、図１のように乗りかご８１に設けられたシーブ１（１ｃ）に巻き掛け、ロープ９０の先端を昇降路８０内に固定していても良い。更に、巻上機８３，乗りかご８１，カウンタウエイト８２のシーブ１（１ａ〜１ｃ）の他に、別にシーブ１（１ｄ）を設けても良い。
【００１３】
制御盤８４の制御に基づいて巻上機８３が駆動されることによって、ロープ９０の両端に接続された乗りかご８１及びカウンタウエイト８２が互いに反対方向に昇降動作する。図１では、シーブ１、巻上機８３、制御盤８４を昇降路８０の上部に配置しているが、これらの配置場所は図１に限定はされない。例えば、昇降路８０の下部にあっても良い。
【００１４】
図１のエレベータにおいて、ロープ９０を取り付ける際、または交換する際にはすべてのシーブ１（１ａ〜１ｄ）にロープ９０を巻き掛ける必要がある。
【００１５】
図２は実施形態であるエレベータのロープ交換補助装置１００の斜視図である。また、図３は第１の実施形態であるエレベータのロープ交換補助装置１００の正面図である。
【００１６】
図２に示すように、本実施形態のエレベータのロープ交換補助装置１００は、レール部２とガイド部３とブラケット部４と支持部６とを有する。
【００１７】
シーブ１は図１のシーブ１ａ〜１ｄのいずれでもよい。シーブの材質は一例として、鋳物やナイロン等がある。シーブ１には円周方向に溝部５が施されている。ロープ９０はシーブ１のすべての溝部５に巻き掛けられる。図１では９個の溝部５すべてに、ロープ９０が巻き掛けられる。ただし、本実施形態および以下の実施形態において、溝部５の本数は９個に限定はされない。
【００１８】
エレベータのロープ交換補助装置１００のレール部２は、シーブ１に施された溝部５の幅方向に設置される。図２に示すようにレール部２は溝部５の幅方向に延伸した上側レール２ａと下側レール２ｂとがレール部２の端部２ｒにて結合されている。ただし、レール部２は図１の形状に限定はされないものとする。例えば、上側レール２ａと下側レール２ｂとは端部２ｒで結合されていなくても良い。
【００１９】
図３に示すように、ガイド部３は孔部７を有する。孔部７はロープ９０を挿通する空隙である。ガイド部３は、溝部５に嵌合される。ガイド部３は、孔部７からロープ９０を溝部５に巻き掛けるための巻掛機構を有する
図３に示すように、ガイド部３は孔部７の上部側に構成される上部ガイド端部３１と、孔部７の下端側に構成される下部ガイド端部３２と、を有している。上部ガイド端部３１は孔部７の中心軸より上側の半円筒状の部位である。下部ガイド端部３２は孔部７の中心軸より下側の半円筒状の部位である。下部ガイド端部３２は溝部５に嵌合されている。上部ガイド端部３１と下部ガイド端部３２とは着脱可能に構成されている。
【００２０】
本実施形態における巻掛機構は、上部ガイド端部３１と下部ガイド端部３２とをシーブ１の溝部５の周方向（図２の矢印の方向）に沿ってスライドして分離する。孔部７に挿通されたロープ９０をシーブ１の溝部５に巻き掛ける。
【００２１】
図２および図３に示すように、ブラケット部４はＬ字状の形状を有している。ブラケット部４は、一の端部が支持部６によりレール部２に支持されている。ブラケット部４は、レール部２の上側レール２ａと下側レール２ｂとの間隙を支持部６とともに摺動することができる。更に、ブラケット部４は、シーブ１の溝部５に対応する位置にて、固定することができる。ブラケット部４の他端部はガイド部３と支持されており、ガイド部３の孔部７に挿通しているロープ９０をレール部２に沿って摺動することができる。
【００２２】
図３に示すように、ロープ９０は、素線を束ねた鋼線ロープ９１を撚り合わせた物に、ポリウレタンなどの樹脂９２で被覆されている。ポリウレタンなどはシーブの素材である鋳物やナイロンなどと比べて、摩擦係数が大きい。ロープ９０がシーブ１の溝部５から外れた状態でロープ９０を引っ張ると、シーブ１を傷つけてしまう。
【００２３】
このため、本実施形態のエレベータのロープ交換補助装置１００を用いて、ロープ９０をシーブ１の溝部５から外れないように、巻き掛けることで、シーブ１を傷つけないようにすることができる。
【００２４】
また、ロープ９０について、樹脂被覆をしていない鋼線を用いた場合であっても、本実施形態のエレベータのロープ交換補助装置１００を用いて、ロープ９０をシーブ１の溝部５から外れないように、巻き掛けることで、初期摩耗を軽減することができる。
【００２５】
なお、シーブ１の溝部５は、図２および図３の様に中央がくぼんだ形状を用いたが、半円状、Ｖ字状の溝形状であってよい。
【００２６】
また、ガイド部３は、レール部２に複数支持されていても良い。図２において、シーブ１の溝部５の本数を９本とする。ガイド部３の個数が１０個以上であり、溝部５の本数よりも多い場合は、余剰のガイド部３をレール部２の端部（端部２ｒとは逆の端部）へと摺動することが可能である。即ち、使用しないガイド部３をシーブ１より遠ざけて、使用するガイド部３のみを溝部５に嵌合することができる。
【００２７】
（第１の実施形態の変形例）
図４は第１の実施形態であるエレベータのロープ交換補助装置１００の変形例（ロープ交換補助装置１０１）の正面図である。上部ガイド端部３１と下部ガイド端部３２とはそれぞれ繋止部９を有している。本変形例は紐やワイヤーなどの線状体８をそれぞれの繋止部９に繋げることできる。これにより、上部ガイド端部３１が下部ガイド端部３２を繋止することができる。
【００２８】
作業員が、ロープ９０を取り付ける際、または交換する際に、下部ガイド端部３２を誤って落とした場合に、線状体８が下部ガイド端部３２を上部ガイド端部３１に繋止することで、昇降路８０の最下層まで落下することを防止する。
【００２９】
以上により、本実施形態のエレベータのロープ交換補助装置は、エレベータのロープ交換の際に、ロープをシーブの溝から外さずに通しやすくすることができる。
【００３０】
（第２の実施形態）
第２の実施形態におけるエレベータの構成は図１と同様である。また、第２の実施形態におけるエレベータのロープ交換補助装置２００の斜視図は図２と同様である。ただし、第１の実施形態の巻掛機構はガイド部３の下部ガイド端部３２がスライド（図２の矢印方向へのスライド）するのに対して、第２の実施形態の巻掛機構はガイド部３の下部分（後述のスライド部３４）がガイド部３の円周方向に沿ってスライドする。
【００３１】
図５は第２の実施形態であるエレベータのロープ交換補助装置２００の正面図である。図５（ａ）は孔部７にロープ９０が挿通されている状態のエレベータのロープ交換補助装置２００の図である。図５（ｂ）はロープ９０が孔部７より溝部５に移動し、巻き掛けられた状態のエレベータのロープ交換補助装置２００の図である。
【００３２】
図５（ａ）が示すように、ガイド部３は、孔部７の上部側に構成されるスライド案内部３３と、孔部７の下部側に構成されるスライド部３４と、を有している。
【００３３】
スライド部３４には取手３５が設けられている。取手３５はガイド部３の円周方向に回動させることができる。取手３５は回動により、スライド部３４をスライド案内部３３の内周面に摺動させて、孔部７に開口部７１を形成させる。本実施形態の巻掛機構は、取手３５の回動により開口部７１を形成させ、開口部７１がロープ９０の幅よりも広くなったときに、ロープ９０が開口部７１よりシーブ１の溝部５に移動し、巻き掛けられる。
【００３４】
取手３５は作業員により摺動することができる。取手３５の取り付け位置は、一例として、図５のようにスライド部３４の半円筒状の縁部に設ける。ただし、取手３５の取り付け位置は、図５の形態に限定されるものではない。
【００３５】
以上により、本実施形態のエレベータのロープ交換補助装置は、エレベータのロープ交換の際に、ロープをシーブの溝から外さずに通しやすくすることができる。
【００３６】
（第３の実施形態）
第３の実施形態のエレベータのロープ交換補助装置３００は、第１の実施形態およびその変形例、第２の実施形態のエレベータのロープ交換補助装置（１００，１０１，２００）において、ガイド部３の孔部７の内周面にロープ９０が挿通しやすくなるよう補助する、挿通補助機構を設けたものである。図６は第３の実施形態であるエレベータのロープ交換補助装置３００および挿通補助機構の正面図である。なお、図６は第１の実施形態のエレベータのロープ交換補助装置１００に挿通補助機構を設けたものとして図示している。
【００３７】
図６（ａ）は、挿通補助機構として、孔部７の内周面の下部側に、ガイドローラ１０を設けた構造である。ガイドローラ１０は下部ガイド端部３２に設けられており、孔部７の円筒軸方向にロープ９０（図６では図示せず）を押し出すように回転する。このため、ガイドローラ１０はロープ９０の挿通を補助することができる。
【００３８】
図６（ｂ）は、挿通補助機構として、孔部７の内周面の下部側に、ベアリングボール１１を設けた構造である。ベアリングボール１１は、下部ガイド端部３２の円筒軸方向に沿って設けられている。ロープ９０とベアリングボール１１との接触面積は、第１の実施形態におけるロープ９０と下部ガイド端部３２との接触面積と比較して小さいため、摩擦抵抗が小さくなる。このため、ベアリングボール１１はロープ９０の挿通を補助することができる。
【００３９】
図６（ｃ）は、挿通補助機構として、孔部７の内周面の下部側（下部ガイド端部３２）に、樹脂被覆のロープ９０の樹脂部分よりも摩擦係数の低い低摩擦部材１２を設けた構造である。樹脂９２としてポリウレタンを設けた場合、低摩擦部材１２はポリウレタンよりも低摩擦の部材を用いる。また、部材にすべり剤などの薬品等を塗布し、低摩擦部材１２としても良い。これにより、樹脂９２と低摩擦部材１２との間の摩擦が低減され、ロープ９０の挿通を補助することができる。
【００４０】
これら、図６（ａ）から（ｃ）のガイドローラ１０，ベアリングボール１１，低摩擦部材１２は、挿通補助機構の例示である。
【００４１】
なお、図６（ａ）〜（ｃ）について、第２の実施形態のエレベータのロープ交換補助装置２００に挿通補助機構を設けた場合は、下部ガイド端部３２の代わりにスライド部３４に挿通補助機構が設けられる。
【００４２】
以上により、本実施形態のエレベータのロープ交換補助装置は、エレベータのロープ交換の際に、ロープをシーブの溝から外さずに通しやすくすることができる。
【００４３】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１…シーブ
２…レール部
３…ガイド部
３１…上部ガイド端部
３２…下部ガイド端部
３３…スライド案内部
３４…スライド部
３５…取手
４…ブラケット部
５…シーブの溝部
６…支持部
７…孔部
７１…開口部
８…線状体（ワイヤ，紐）
９…繋止部
１０…ガイドローラ
１１…ベアリングボール
１２…低摩擦部材
８０…昇降路
８１…乗りかご
８２…カウンタウエイト
８３…巻上機
８４…制御盤
９０…ロープ
９１…鋼線ロープ
９２…樹脂
１００，１０１，２００，３００…ロープ交換補助装置
【図１】
2019052043.tif 000003
【図２】
2019052043.tif 000004
【図３】
2019052043.tif 000005
【図４】
2019052043.tif 000006
【図５】
2019052043.tif 000007
【図６】
2019052043.tif 000008
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
シーブに施された溝部の幅方向に設置されるレール部と、
ロープを通す孔部を有し、前記シーブの溝部に嵌合して前記孔部の前記ロープを前記シーブの溝部に巻き掛けるために、上側部の機構と下側部の機構とが分離して構成される巻掛機構を有するガイド部と、
一の端部は前記レール部を摺動して前記シーブの溝部に対応する位置にて前記レール部と支持され、他端部は前記ガイド部と支持されるブラケット部と、
を具備するエレベータのロープ交換補助装置。
【請求項２】
前記ガイド部は、前記孔部の上部側に構成される上部ガイド端部と、前記孔部の下端側に構成される下部ガイド端部と、を着脱可能に有し、
前記巻掛機構は、前記上部ガイド端部と前記下部ガイド端部とを前記シーブの溝部の周方向に沿って分離して、前記孔部に挿通された前記ロープを前記シーブの溝部に巻き掛ける、
請求項１に記載のエレベータのロープ交換補助装置。
【請求項３】
前記上部ガイド端部と前記下部ガイド端部とはそれぞれ繋止部を有しており、線状体をそれぞれの前記繋止部に繋げることで、前記上部ガイド端部が前記下部ガイド端部を繋止している、
請求項２に記載のエレベータのロープ交換補助装置。
【請求項４】
前記ガイド部は、前記孔部の上部側に構成されるスライド案内部と、前記孔部の下部側に構成されるスライド部と、を有し、
前記巻掛機構は、前記スライド部に設けられた取手を前記ガイド部の円周方向に回動させて、前記スライド部を前記スライド案内部の内周面に摺動させて、前記孔部に開口部を形成させ、前記開口部より前記ロープを前記シーブの溝部に巻き掛ける、
請求項１に記載のエレベータのロープ交換補助装置。
【請求項５】
前記ガイド部は、前記孔部の内周面にロープの挿通を補助する挿通補助機構を有している、
請求項１乃至請求項４のいずれか１項に記載のエレベータのロープ交換補助装置。
【請求項６】
前記挿通補助機構は、前記孔部の内周面の下部側にガイドローラを設けた、
請求項５に記載のエレベータのロープ交換補助装置。
【請求項７】
前記挿通補助機構は、前記孔部の内周面の下部側にベアリングボールを設けた、
請求項５に記載のエレベータのロープ交換補助装置。
【請求項８】
前記挿通補助機構は、前記孔部の内周面の下部側に樹脂被覆のロープよりも摩擦係数の低い低摩擦部材を設けた、
請求項５に記載のエレベータのロープ交換補助装置。
【請求項９】
前記ガイド部は、前記レール部に複数支持されており、前記シーブの溝部の本数よりも前記ガイド部の個数が多い場合は、余剰のガイド部をレール部の端部へと摺動することが可能である、
請求項１乃至請求項８のいずれか１項に記載のエレベータのロープ交換補助装置。
【手続補正２】
【補正対象書類名】明細書
【補正対象項目名】０００８
【補正方法】変更
【補正の内容】
【０００８】
上記課題を解決するため、実施形態のエレベータのロープ交換補助装置は、シーブに施された溝部の幅方向に設置されるレール部と、ロープを通す孔部を有し、前記シーブの溝部に嵌合して前記孔部の前記ロープを前記シーブの溝部に巻き掛けるために、上側部の機構と下側部の機構とが分離して構成される巻掛機構を有するガイド部と、一の端部は前記レール部を摺動して前記シーブの溝部に対応する位置にて前記レール部と支持され、他端部は前記ガイド部と支持されるブラケット部と、を具備する。